(57)【特許請求の範囲】
【請求項１】
室内の空気と熱交換を行う室内機を備え、該室内機は、ベースに取り付けられて室内に空気を送り出すファンと、該ファンを駆動するモータと、該モータが収容されたモータ設置空間と、前記ファンが収容された通風空間とを備え、
前記モータは、モータ本体から前記通風空間へ延びるとともに該通風空間に収容された前記ファンと接続される回転軸と、該回転軸の周囲に設けられた防振手段とを備えている空気調和装置において、
前記ベースには、前記通風空間と前記モータ設置空間とに区分する仕切壁が形成され、
前記仕切壁と、該仕切壁と略平行に形成された壁部との間に、前記防振手段の移動を規制する固定板を備え、
前記モータは、モータカバーとモータ固定座との間に設置され、該モータ固定座は、前記モータが嵌る凹所と、前記モータの背面側を支持する前記壁部とを備え、
前記壁部が、前記モータの略中心軸高さまで延在するとともに、前記モータを略軸方向に引き抜くことを可能とする切り欠きを備えていることを特徴とする空気調和装置。
【発明の詳細な説明】
【技術分野】
【０００１】
本発明は、空気調和装置に関し、特に室内機におけるファンモータの取り付け構造に関する。
【背景技術】
【０００２】
空気調和装置は、一般的に、室内の空気を冷媒により加熱または冷却して空気調和を行う装置であり、室内の空気と熱交換する室内機と、室外の空気と熱交換する室外機とを備える。
図７及び図８に室内機の内部構造を示した。図７は室内機の前面を上方に向けて示した内部の分解斜視図であり、図８はモータ部分を拡大して示した斜視図である。図において、符号６は室内熱交換器、１５は横断流ファン、１６はモータ、２０はベース、２２はモータ固定座、２３はモータカバーを示している。
【０００３】
図７のように、室内熱交換器６は横断流ファン１５を覆って位置しており、複数枚の室内熱交換器ユニット６ａが組み合わされて構成されている。室内熱交換器６端部には側板６ｂが設けられ、室内熱交換器６は長手方向における両端部にてベース２０に取り付けられている。
【０００４】
ベース２０は樹脂等の材料によって一体成型され、この内側の壁面（図示される側）には、円弧形状の壁面や傾斜した壁面が形成され、横断流ファン１５や、室内熱交換器６等がベース２０に設置されることによって通風路として機能する。
【０００５】
ベース２０には、通風空間Ｆと、ファンモータ１６等を取り付けるモータ設置空間Ｍとに区分する仕切壁Ｗ２が形成されている。また、この仕切壁Ｗ２に対向するように通風空間Ｆを挟んでベース２０の端側に位置する壁部Ｗ１が形成されている。
【０００６】
壁部Ｗ１と仕切壁Ｗ２との間に位置する通風空間Ｆには、上述した横断流ファン１５が備えられることになり、この横断流ファン１５の一端が、ベアリング１７及び抑えプレート１８により壁部Ｗ１に形成されたファン固定座２１に取り付けられる。
【０００７】
また、仕切壁Ｗ２側に位置する横断流ファン１５の他端は、仕切壁Ｗ２を隔てたモータ設置空間Ｍに設置されたファンモータ１６によって支持される。ファンモータ１６は、ベース２０とともに一体成型されたモータ固定座２２に嵌め込まれており、このファンモータ１６のシャフト１６ａが横断流ファン１５に差し込まれることにより、横断流ファン１５が回転可能に支持される。円柱状のファンモータ１６の両側面には防振ゴム１６ｂが備えられ、また、横断流ファン１５側には動力を伝達するシャフト１６ａが設けられている。
【０００８】
モータ固定座２２は、ベース２０とともに一体成形され、その際に形成された半円弧状の凹所Ｈ１を備えている。また、横断流ファン１５が備わる通風空間Ｆと凹所Ｈ１との間には、壁部Ｗ２２ａが形成されている。この壁部Ｗ２２ａは、凹所Ｈ１の形状に合わせてファンモータ１６の半分の高さを有して形成され、その上部にはファンモータ１６に備えられた防振ゴム１６ｂの形状に合わせて除去された切り欠き２２ａが形成されている。
【０００９】
モータカバー２３は、ファンモータ１６の半面を覆うように略半円筒形状に形成されたカバーであり、モータ固定座２２との間にモータ１６を挟んだ状態でモータ固定座２２に対して固定される。
【００１０】
図８にモータ固定座２２近傍の拡大図を示した。モータ固定座２２の切り欠き２２ａよりも内側（横断流ファン１５側）に防振ゴム１６ｂが位置し、さらに内側に通風空間Ｆを形成する壁部１９が設けられている。壁部１９にはシャフト１６ａを通すための切り欠き１９ａが形成されている。
【特許文献１】特開２００５−１８８８３２号公報
【発明の開示】
【発明が解決しようとする課題】
【００１１】
ファンモータ１６の外側端部は壁部Ｗ２２ａと対向する壁部Ｗ２２ｂにより支持されている。壁部Ｗ２２ｂには、モータ２２の径よりも小さい半円状の切り欠き２５を備え、切り欠き２５の左右両側には高さ方向寸法がファンモータ１６の径方向略中心まで位置する壁２６を備える。
このような形状のため、メンテナンス等の際にファンモータ１６を取り外す場合、壁２６が障害となって図の右方向に引き出しにくいという問題があった。
また、組み立て、メンテナンス等の際にモータを着脱する際、横断流ファン１５側の防振ゴム１６ｂがモータから離れやすい。これを防ぐため、作業者は取付の際に防振ゴム１６ｂがずれないように注意しなければならず、作業効率が低下するという問題があった。
【００１２】
本発明は上記事情に鑑みて成されたものであり、取り付け、メンテナンス等においてモータの着脱を行う際に、作業効率を高めることができる空気調和装置を提供することを目的とする。
【課題を解決するための手段】
【００１３】
請求項１に記載の発明は、室内の空気と熱交換を行う室内機を備え、該室内機は、ベースに取り付けられて室内に空気を送り出すファンと、該ファンを駆動するモータと、該モータが収容されたモータ設置空間と、前記ファンが収容された通風空間とを備え、前記モータは、モータ本体から前記通風空間へ延びるとともに該通風空間に収容された前記ファンと接続される回転軸と、該回転軸の周囲に設けられた防振手段とを備えている空気調和装置において、前記ベースには、前記通風空間と前記モータ設置空間とに区分する仕切壁が形成され、前記仕切壁と、該仕切壁と略平行に形成された壁部との間に、前記防振手段の移動を規制する固定板を備え、前記モータは、モータカバーとモータ固定座との間に設置され、該モータ固定座は、前記モータが嵌る凹所と、前記モータの背面側を支持する前記壁部とを備え、前記壁部が、前記モータの略中心軸高さまで延在するとともに、前記モータを略軸方向に引き抜くことを可能とする切り欠きを備えていることを特徴とする。
【００１４】
本発明によれば、防振手段に隣接して固定板が設けられているため、この固定板が防振手段の移動を規制し、防振手段がモータから離れる（浮く）ことが抑制される。また、固定板が防振手段と接することで、固定板により空気の流路が遮られるため、外気がファン側に流入することが抑制される。
【００１６】
また、本発明によれば、モータは、モータカバーとモータ固定座との間に設置され、該モータ固定座は、モータが嵌る凹所と、モータの背面側を支持する壁部とを備えており、壁部が、モータの略中心軸高さまで延在するとともに、壁部に切り欠きが設けられていることにより、モータを取り外す際に略軸方向外側へ引き出しやすくなる。
【発明の効果】
【００１７】
本発明においては以下の効果を得ることができる。
固定板を設けて防振手段を固定することにより、防振手段のずれを防ぐことができ、モータ着脱の際に作業効率を高めることができる。また、モータを取り出す際に壁部に設けられた切り欠きを通して取り出すことが可能となり、作業効率が向上する。
【発明を実施するための最良の形態】
【００１８】
次に、本発明の一実施形態について図面を参照して説明する。
図１は本発明の一実施形態に係る空気調和装置のファンモータ部分を拡大して示した斜視図である。図１ではモータ及びモータカバーを省略して図示してあり、図２には、モータ及びモータカバーが取り付けられた状態の斜視図を示した。さらに図３にベースの斜視図を示した。
【００１９】
図において、符号５０はベース、５１はモータ固定座、５２はモータカバーを示している。室内熱交換器６は、横断流ファン（ファン）５５を覆って位置しており、複数枚の室内熱交換器ユニットが組み合わされて構成されている。室内熱交換器の端部には図４に示す側板５６が設けられている。室内熱交換器は長手方向における両端部にてベース５０に取り付けられている。
【００２０】
室内機内に設けられたベース５０は、樹脂等の材料によって一体成型され、この内側の壁面（図示される側）には、円弧形状の壁面や傾斜した壁面が形成され、横断流ファン５５や、室内熱交換器６等がベース５０に設置されることによって通風路として機能する。
【００２１】
ベース５０には、通風空間Ｆと、ファンモータ（モータ）５７等を取り付けるモータ設置空間Ｍとに区分する仕切壁５８が形成されている。
【００２２】
仕切壁５８を挟んで通風空間Ｆには上述した横断流ファン５５が備えられることになり、この横断流ファン５５の一端はベース５０に対して回転自在に支持され、他端はモータ設置空間Ｍに設置されたファンモータ５７に接続され、モータ５７により駆動される。
【００２３】
ファンモータ５７は、ベース５０とともに一体成型されたモータ固定座５１に嵌め込まれており、このファンモータ５７のシャフト（回転軸）５７ａが、仕切壁５８に設けられた切り欠き５８ａを通して横断流ファン５５に差し込まれることにより、横断流ファン５５が回転可能に支持される。
【００２４】
ファンモータ５７の構造について説明すると、円柱状のファンモータ５７の両側面には、防振ゴム（防振手段）５７ｂ、５７ｃが備えられ、また、内側には動力を伝達するシャフト５７ａが設けられている。つまり、シャフト５７ａは横断流ファン５５に接続されることによって横断流ファン５５を支持する役目を担っている。防振ゴム５７ｂ、５７ｃはファンモータ５７の振動を抑え、振動、騒音を抑制する。
【００２５】
モータ固定座５１はベース５０とともに一体成形され、その際に形成された半円弧状の凹所６０を備えている。
また、横断流ファン５５が備わる通風空間Ｆと凹所６０との間には、仕切壁５８と略平行な壁部６１が形成されている。この壁部６１は、ファンモータ５７の径方向略半分の高さを有して形成され、その上部にはファンモータ５７に備えられた防振ゴム５７ｂの形状に合わせて除去された切り欠き６２が形成されている。
【００２６】
壁部６１と仕切壁５８との間には、防振ゴム固定壁（固定板）６５が設けられており、防振ゴム固定壁６５と、仕切壁５８との間に形成された半円筒状の壁部６６とによって形成される空間内に防振ゴム５７ｂが収容されるようになっている。
【００２７】
防振ゴム固定壁６５はシャフト５７ａの略中心軸高さ位置まで延在し、シャフト５７ａを通すための半円状の切り欠き６５ａが形成されている。防振ゴム固定壁６５と壁部６１との間隔は防振ゴム５７ｂの厚さと略等しく形成されている。半円筒状の壁部６６の内径は、防振ゴム５７ｂの径と略等しく形成されている。
【００２８】
モータ固定座５１には壁部６１と対向する壁部７０が設けられている。壁部７０はファンモータ５７の一端を支持するとともに、モータ５７の外方向への移動を規制する壁であり、モータ５７の防振ゴム５７ｃを収容する凹部７０ａを備える。
さらに、モータ５７を略軸方向外側に取り出すことができるように、切り欠き７１を備える。切り欠き７１の底面はベース５０に対して略平行であって、その他側は壁部７０の端縁まで延在している。切り欠き７１以外の部位では壁部７０の高さ方向はモータ５７の略径方向中心にまで位置しているが、切り欠き７１では高さ寸法が小さくなっている。
また、切り欠き７１にはモータカバー５２をネジ７５によりネジ留めするための穴７５ａが設けられている。
【００２９】
次に、モータカバー５２の構成について説明する。
図５に示したように、モータカバー５２は、ファンモータ５７の半面を覆うように略半円筒形状に形成されたカバーであり、モータ固定座５１との間にファンモータ５７を挟んだ状態でモータ固定座５１に対して固定される。内側の一端にはフランジ７５を備える。フランジ７５は室内熱交換器の側板５６よりも内側に位置し、略半円筒状のモータカバー本体５２ａが側板５６の外側に突出する状態でベース５０に固定される。図４に室内熱交換器の側板５６を示した。側板５６にはモータカバー５２の円筒形状に沿った凹曲面７３を備える。フランジ７５に隣接して設けられた周壁５２ｂが凹曲面７３と嵌り合う。モータカバー５２側にはボルト穴８１ａ、８１ｂが設けられ、側板５６側にはボルト穴８１ａ、８１ｂに対応してボルト穴８２ａ、８２ｂが設けられている。これらボルト穴を合わせた状態でボルト留めされることにより、熱交換器６がモータカバー５２に対して固定される。
【００３０】
また、周壁５２ｂには径方向外側へ突出する突起７７が設けられ、側板５６の凹部７３には突起７７に対応する切り欠き７８が設けられている。これら突起７７及び切り欠き７８は、熱交換器６をモータカバー５２に対して組み付けたときに噛み合う状態となるように形成されている。
【００３１】
図６に示したようにモータカバー５２のフランジ７５には、回転させたときに室内熱交換器６と干渉しないように周壁に切り込み８０が設けられている。図の二点鎖線が従来のモータカバー２３のフランジ形状である。切り込み８０は従来の外形から径方向内側に切断され、これにより部分的にフランジ７５の径が小さく構成されている。
【００３２】
このように構成された本実施形態の空気調和装置によれば、組み立て時にはまずモータ５７をベース５０に取り付ける。その際に防振ゴム５７ｂを固定壁６５に接触させた状態とする。次いで、モータカバー５２，室内熱交換器６を取り付ける。
本実施形態によれば、防振ゴム固定壁６５が設けられていることにより、防振ゴム５７ｂが横断流ファン５５側に移動することが規制され、防振ゴム５７ｂがファンモータ５７から離れて防振効果が低下することが防止される。特にファンモータ５７の取り付け作業時に防振ゴム５７ｂが離れやすいため、取り付け作業時における作業効率を向上することができる。
【００３３】
また、防振ゴム固定壁６５を備えていない従来の室内機の場合、図８に矢印で示したように防振ゴム１６ｂの周囲に沿って外側から横断流ファン１５内側に向かって外気が侵入し、空調の効率を低下させる場合がある。本実施形態院よれば、防振ゴム固定壁６５が防振ゴム５７ｂと接しているため、外気が内部に侵入することが抑制され、空調効率の低下を防ぐことができる。
【００３４】
また、モータ５７の背面を支持する壁部７０に切り欠き７１が形成されているため、ファンモータ５７を取り外す際にはまず図２の二点鎖線で示した位置にずらし、次いで軸方向外側に切り欠き７１を通して引き出すことができる。切り欠き７１が設けられていることによりモータ５７を大きくずらす必要が無く、メンテナンス等の際にモータを取り出しやすい構成とすることができる。
【００３５】
また、モータカバー５２に突起７７が設けられ、熱交換器の側板５６には切り欠き７８が設けられているため、組み立ての際に突起７７と切り欠き７８とが噛み合うことにより、ボルト穴８１ａ、８１ｂ、８２ａ、８２ｂを容易に位置決めすることができる。したがって、組み立て作業効率を向上することができる。
なお、モータカバー５２側に切り欠きを設け、側板５６側に該切り欠きと噛み合う突起を設けてもよい。
【００３６】
また、図６に示したようにモータカバー５２のフランジ７５に切り欠き８０が設けられ、取り外しの際にフランジ７５が熱交換器６と干渉しない形状となっている。したがって、メンテナンス等において図の矢印のようにモータカバー５２を容易に着脱することが可能となり、作業効率を向上させることができる。
【図面の簡単な説明】
【００３７】
【図１】本発明の一実施形態に係る空気調和装置のファンモータ部分を拡大して示した斜視図である。
【図２】同空気調和装置のモータ及びモータカバーが取り付けられた状態の斜視図である。
【図３】同空気調和装置のベースを示した斜視図である。
【図４】室内熱交換器の側板を示した平面図である。
【図５】モータカバーの斜視図である。
【図６】室内熱交換器をモータカバーに取り付けた状態を示した側面図である。
【図７】従来の空気調和装置が備える室内機を分解して示した斜視図である。
【図８】同室内機のモータ部分を拡大して示した斜視図である。
【符号の説明】
【００３８】
５５  横断流ファン（ファン）
５７  ファンモータ（モータ）
５７ａ  シャフト（回転軸）
５７ｂ  防振ゴム（防振手段）
６５  防振ゴム固定壁（固定壁）
７１  切り欠き
Ｆ  通風空間
Ｍ  モータ設置空間
【図１】
0004813915.tif 000002
【図２】
0004813915.tif 000003
【図３】
0004813915.tif 000004
【図４】
0004813915.tif 000005
【図５】
0004813915.tif 000006
【図６】
0004813915.tif 000007
【図７】
0004813915.tif 000008
【図８】
0004813915.tif 000009